(57)【要約】【課題】機構が簡単でディスプレイに対して斜めの特定方向からは画像の読み取りが行えないようにした情報処理装置およびそのディスプレイ表示制限方法を得ること。【解決手段】装置の広視野ボタン２１４が押されると広視野用データ２６４がＬＣＤコントローラ２４２に供給され、液晶層を挟む一対の配向膜に高電位が印加され、ディスプレイ全面が画像の表示対象となる。狭視野ボタン２１５が押されると狭視野データ２６５により配向膜にこれより低い電位が印加され、ディスプレイの一部が表示対象となり、更に特定方向からは表示自体が見えなくなる。ミラー表示ボタン２１６が押された場合には、配向膜に更に低い電位が印加され、ディスプレイをミラーとして使用できる。【選択図】図６
2008298901.tif 000002
【特許請求の範囲】
【請求項１】
液晶分子で構成された液晶層と、
この液晶層を挟むように配置された一対の配向膜と、
この一対の配向膜に画素の表示のオン・オフに対応させて所定の電圧の印加をオン・オフ制御する電圧印加制御手段と、
この電圧印加制御手段で印加する前記所定の電圧を、前記液晶分子が電場の方向に整列する第１の電圧と、不完全な整列状態となる第２の電圧のいずれかから少なくとも選択する印加電圧選択手段
とを具備することを特徴とする情報処理装置。
【請求項２】
前記印加電圧選択手段によって選択される電圧は、各液晶分子が全くランダムな方向に配向している状態を実現する第３の電圧を含むことを特徴とする請求項１記載の情報処理装置。
【請求項３】
前記印加電圧選択手段が第３の電圧を選択したとき、前記液晶層を照明するバックライトを消灯させるバックライト消灯手段を具備することを特徴とする請求項２記載の情報処理装置。
【請求項４】
車両内に滞在する時間を設定する車両滞在時間設定手段と、
この車両滞在時間設定手段で設定された時間帯に該当するかを判別する時計機構と、
この時計機構が前記設定された時間帯に該当すると判別している状態で前記印加電圧選択手段に第２の電圧を選択させる第２の電圧選択指示手段
とを具備することを特徴とする請求項１記載の情報処理装置。
【請求項５】
前記第２の電圧は調整自在であり、調整された電圧を記憶する電圧記憶手段を具備することを特徴とする請求項１記載の情報処理装置。
【請求項６】
装置本体に広視野ボタンと、狭視野ボタンおよびミラー表示ボタンを備え、前記液晶層の全面を表示の対象とする広視野ボタンは第１の電圧に対応し、前記液晶層の一部領域を表示の対象とする狭視野ボタンは第２の電圧に対応し、前記液晶層の全面を反射層とするミラー表示ボタンは第３の電圧に対応することを特徴とする請求項３記載の情報処理装置。
【請求項７】
情報処理装置が車両内に持ち込まれていることを予め設定したスケジュールとの関係で判別する車両内判別ステップと、
この車両内判別ステップで情報処理装置が車両内に持ち込まれていると判別したとき液晶ディスプレイの表示される角度範囲を正面から見たときの所定の角度範囲内に制限する表示制限ステップ
とを具備することを特徴とする情報処理装置のディスプレイ表示制限方法。
【発明の詳細な説明】
【技術分野】
【０００１】
本発明は、情報処理装置およびそのディスプレイ表示制限方法に係わり、特に液晶ディスプレイを使用した携帯電話機、ノート型のパーソナルコンピュータ等の情報処理装置およびそのディスプレイ表示制限方法に関する。
【背景技術】
【０００２】
液晶ディスプレイを使用した情報処理装置は、携帯電話機、ＰＨＳ（Personal Handy-phone System）、ＰＤＡ（Personal Digital Assistant）、ノート型あるいはデスクトップ型のパーソナルコンピュータ、携帯型のＤＶＤプレーヤのように日常的に広く使用されている。
【０００３】
このような情報処理装置の液晶ディスプレイは、たとえば旅行の写真を複数の友人に一度に見せるような場合、視野角が広い方がより広範囲の方向から画像を見ることができ、好都合である。ところが、電車の中でメールを読んだり、文章を作成したりするような他人に見られたくない状況では、寧ろ、視野角が広くない方が好ましい。携帯電話機のように個人が携行する情報処理装置では、視野角を制限する要請の方が一般的には高い。
【０００４】
そこで、液晶ディスプレイの表面に視野角を制限する樹脂フィルタを貼り付けて、正面方向からのみ画像が見えるようにすることが、このような小型の情報処理装置で広く行われている。ところが、液晶ディスプレイの表面に視野角制限用の樹脂フィルタを貼り付けると、ユーザが正面から情報処理装置を操作するときにも樹脂表面の汚れや傷によって画像が読み取りにくくなるという問題があった。
【０００５】
このため、バックライトを点灯させる領域を一部オフにすることで、液晶ディスプレイの表示領域を制御することが第１の提案として提案されている（たとえば特許文献１、特許文献２）。この第１の提案では、液晶ディスプレイの表示領域を幾つかに区分けしておく。そして、ユーザの操作が行われなくなって一定時間が経過すると特定の領域のバックライトを点灯させ、それ以外の領域のバックライトを消灯する。これにより電力消費の節減を図ることができる。
【０００６】
この提案の液晶ディスプレイによれば、その表示領域を複数に分割し、それぞれの領域を異なったバックライトで点灯制御するようにしている。したがって、バックライトを消灯した領域の画像は表示されない。したがって、この非表示領域の画像の盗み見を防止することができる。
【０００７】
しかしながら、この第１の提案によればユーザ本人が画像を見ようとするときバックライトを全面点灯することになるので、この場合には正面以外の方向から盗み見する者も液晶ディスプレイの全領域の画像を見ることができる。しかも、液晶ディスプレイの全面をバックライトで照射する場合には、それぞれ異なった領域が異なったバックライトで点灯されるので、領域ごとに画像の照射むらが発生するおそれがあった。
【０００８】
そこで、液晶ディスプレイ自体がその視野角を変えることが第２の提案として提案されている（たとえば特許文献３参照）。これにより、情報処理装置を正面から見ている者も含めて液晶ディスプレイから画像を読み取ることができる角度を特定し、それ以外の角度からは画像が見えないようにすることができる。
【特許文献１】特開２００６−２９３３４０号公報（第０００５段落、第００１６段落、図２、図３）
【特許文献２】特開平０８−３３４７４２号公報（第００１５段落、第００２１段落、図３、図４）
【特許文献３】特開２００６−１７１３３３号公報（第００６８段落、第００６９段落、図１、図４）
【発明の開示】
【発明が解決しようとする課題】
【０００９】
ところが、この第２の提案によれば、液晶ディスプレイ自体がその視野角を変えるためにその機構が複雑化する。したがって、携帯電話機のように安価で、装置本体を薄く形成する必要がある情報処理装置には適用しにくいという問題がある。また、第２の提案では電圧の印加の態様によっては、液晶ディスプレイの正面から見る者だけが画像を見ることができず、それ以外の方向から画像を見ることができるようにすることができる。これは、カーナビゲーションの場合に運転者のわき見運転を防止する効果があるものの、これを通常の情報処理装置に適用すると情報漏洩が多発するおそれがある。すなわち液晶ディスプレイの正面に位置する情報処理装置のユーザが画像を表示していないつもりでも、実際には正面以外の方向に対して画像の表示が継続的に行われている場合があり得るからである。
【００１０】
そこで本発明の目的は、機構が簡単でディスプレイに対して斜めの特定方向からは画像の読み取りが行えないようにした情報処理装置およびそのディスプレイ表示制限方法を提供することにある。
【課題を解決するための手段】
【００１１】
本発明では、（イ）液晶分子で構成された液晶層と、（ロ）この液晶層を挟むように配置された一対の配向膜と、（ハ）この一対の配向膜に画素の表示のオン・オフに対応させて所定の電圧の印加をオン・オフ制御する電圧印加制御手段と、（ニ）この電圧印加制御手段で印加する前記した所定の電圧を、液晶分子が電場の方向に整列する第１の電圧と、不完全な整列状態となる第２の電圧のいずれかから少なくとも選択する印加電圧選択手段とを情報処理装置に具備させる。
【００１２】
すなわち本発明では、液晶層を挟むように配置された一対の配向膜を備えた液晶ディスプレイにおける配向膜に印加する電圧を、液晶分子が電場の方向に整列する第１の電圧と、不完全な整列状態となる第２の電圧のいずれかから少なくとも選択できるようにしておく。これにより、第１の電圧が採用された場合には液晶ディスプレイの全面に画像の表示が可能になるが、第２の電圧が採用された場合には部分的な領域で表示が行われることになり、正面以外の方向からはこの領域の表示も見えなくなる。
【００１３】
また、本発明では（イ）情報処理装置が車両内に持ち込まれていることを予め設定したスケジュールとの関係で判別する車両内判別ステップと、（ロ）この車両内判別ステップで情報処理装置が車両内に持ち込まれていると判別したとき液晶ディスプレイの表示される角度範囲を正面から見たときの所定の角度範囲内に制限する表示制限ステップとを情報処理装置のディスプレイ表示制限方法に具備させる。
【００１４】
すなわち本発明では、ユーザが予め設定したスケジュールとの関係で情報処理装置が車両内に持ち込まれているかどうかを判別し、車両内に持ち込まれていると判別したとき液晶ディスプレイの表示される角度範囲を正面から見たときの所定の角度範囲内に制限することにして、正面以外の特定方向から画像が視認できないようにしている。
【発明の効果】
【００１５】
以上説明したように本発明によれば、液晶ディスプレイ自体の構造を特に変更することなく、方向によっては画像を見えないようにしたので、コストアップを招くことなく情報の漏洩を効果的に防止することができる。
【発明を実施するための最良の形態】
【００１６】
以下実施例につき本発明を詳細に説明する。
【実施例１】
【００１７】
図１は、本発明の一実施例における携帯電話機の外観を表わしたものである。この携帯電話機２００は、第１の筐体２０１と第２の筐体２０２をヒンジ機構２０３によって開閉自在に連結したものである。第１の筐体２０１の一方の面には液晶ディスプレイ２１１が配置されており、第２の筐体２０２における液晶ディスプレイ２１１と折り畳み時に重なり合う側の面には、各種のキーからなる操作部２１２が配置されている。操作部２１２におけるヒンジ機構２０３とは反対側の端部近傍には、広視野ボタン２１４と、狭視野ボタン２１５およびミラー表示ボタン２１６の３種類のボタンが配置されている。
【００１８】
このうちの広視野ボタン２１４は、液晶ディスプレイ２１１が正面から左右方向に比較的広い範囲でその表示内容を視認できる広視野表示モードとなるためのボタンである。狭視野ボタン２１５は、これとは反対に液晶ディスプレイ２１１が正面から左右方向に比較的狭い範囲でその表示内容を視認できる狭視野表示モードとなるためのボタンである。狭視野ボタン２１５は、他人が液晶ディスプレイ２１１の内容を覗き見することを防止する際に使用される。ミラー表示ボタン２１６は、液晶ディスプレイ２１１の表面に画像が表示されず、この表面をミラーとして利用する際に使用される。このとき、液晶ディスプレイ２１１に対する背後からのバックライトの照明は行われない。
【００１９】
図２は、液晶ディスプレイを構成する部品の配置構造の概要を表わしたものである。液晶ディスプレイ２１１は、その表面に文字や画像を映し出す表示用ＬＣＤ（Liquid Crystal Display）モジュール２２１と、この表示用ＬＣＤモジュール２２１の背面側に配置され、面全体の照明を行うバックライトモジュール２２２と、表示用ＬＣＤモジュール２２１の表面側に配置され、文字や画像の視野角を制御する視野角制御用ＬＣＤモジュール２２３とを積層した構造となっている。ここで、バックライトモジュール２２２は液晶を透過した光で文字や画像を表示させるためのものである。したがって、暗い場所だけでなく、明るい場所でも見栄えを良くするために使用される。視野角制御用ＬＣＤモジュール２２３は、図１に示した広視野ボタン２１４と、狭視野ボタン２１５のいずれが選択されたかによって視野角を切り替えるようになっている。
【００２０】
図３は、本実施例の携帯電話機の回路構成の概要を表わしたものである。携帯電話機２００は、装置全体を制御する主制御部２３１を備えている。主制御部２３１は、ＣＰＵ（Central Processing Unit）２３２と、このＣＰＵ２３２の実行する制御プログラムを格納したメモリ２３３を備えている。主制御部２３１は、装置内の各部と接続されている。このうち通信制御部２３５は、図示しない無線基地局を介して他の図示しない電話機と接続されたり、インターネットにアクセスしたり、メールの送受信を行う際の通信制御を行うようになっている。表示制御部２３６は、図１等にも示した液晶ディスプレイ２１１の表示制御を行うようになっている。電話機能部２３７は、通話機能やカメラ機能あるいはテレビジョン受信機能といったような電話機としての各種の機能を実現する回路等のデバイスで構成されている。操作部２１２については図１で説明した。
【００２１】
図４は、携帯電話機の表示に関する回路部分の構成を示したものである。本実施例で液晶ディスプレイ２１１と表示制御部２３６は視野角制御用ＬＣＤモジュール２２３を構成している。表示制御部２３６は液晶ディスプレイ２１１の表示制御を行うＬＣＤコントローラ２４２と、このＬＣＤコントローラ２４２と他の回路部分のインタフェースをとるＬＣＤインタフェース部２４３を備えている。
【００２２】
ＬＣＤインタフェース部２４３は、操作部２１２と接続されている他、電源２４５とも接続されている。ＬＣＤコントローラ２４２はＬＣＤインタフェース部２４３から供給された電源の出力側の電圧を制御できるようになっている。また、図１に示した主制御部２３１を通じて文字や画像を液晶ディスプレイ２１１に表示するための表示データ２４６の供給を受けるようになっている。ＬＣＤコントローラ２４２は、操作部２１２の広視野ボタン２１４と、狭視野ボタン２１５およびミラー表示ボタン２１６の操作に応じて液晶ディスプレイ２１１の前記した表示制御を行うようになっている。なお、ミラー表示ボタン２１６が押された場合には、バックライトモジュール２２２（図２）に対する電源２４５の供給が断たれることで、液晶ディスプレイ２１１をミラーとして使用できるようになっている。
【００２３】
図５は、液晶ディスプレイの表示用ＬＣＤモジュールとその周辺の回路構成の要部を示したものである。図２に概要を示した液晶ディスプレイ２１１の表示用ＬＣＤモジュール２２１は、文字や画像を表示するための画素単位に配置された液晶２５１を備えている。ただし、図５では、表示用ＬＣＤモジュール２２１として１画素分の回路構成を示している。
【００２４】
液晶２５１は、補助容量２５２と並列に接続されており、更に、図示しない走査信号と表示データによって画素単位で表示を制御するデータ駆動用トランジスタ２５３と接続されている。駆動用トランジスタ２５３は、そのゲートの信号制御を行うゲート信号線制御用ＩＣ（Integrated Circuit）２５４に接続されている。また、ゲート信号線制御用ＩＣ２５４には、ＬＣＤインタフェース部２４３が接続されており、補助容量２５２にはＬＣＤコントローラ２４２が接続されている。
【００２５】
このような表示用ＬＣＤモジュール２２１内の駆動用トランジスタ２５３は、ゲート信号線制御用ＩＣ２５４から表示データに対応して出力される駆動パルスに応じてオン・オフ動作を行うようになっている。
【００２６】
駆動用トランジスタ２５３がオンとなったとき、液晶２５１と補助容量２５２は信号線２５６を介してＬＣＤコントローラ２４２から画素電圧（パルス）を受け取って書き込みが実行される。この書き込み動作は所定の周期で繰り返される。書き込みのオン・オフ状態により、表示用ＬＣＤモジュール２２１の表面は画素単位でバックライトモジュール２２２（図２）の光を透過しあるいは遮断する。このような制御がそれぞれの画素に対して個別に行われることで、画素全体で文字や画像が映し出されることになる。
【００２７】
図６は、液晶ディスプレイによる視野角の制御の様子を原理的に表わしたものである。ここでは、図３で示した主制御部２３１を構成するＣＰＵ２３２が、広視野ボタン２１４と、狭視野ボタン２１５およびミラー表示ボタン２１６（図４参照）のいずれかからキー押下情報２６１〜２６３の供給を受けるようになっている。そして、広視野ボタン２１４が押されて、ＣＰＵ２３２がこれに対応するキー押下情報２６１の供給を受けたときには、液晶ディスプレイ２１１が透過モードに設定される。狭視野ボタン２１５が押されて、ＣＰＵ２３２がこれに対応するキー押下情報２６２の供給を受けたときには、視野角制御モードに設定される。ミラー表示ボタン２１６が押されて、ＣＰＵ２３２がこれに対応するキー押下情報２６３の供給を受けたときには、反射モードに設定される。
【００２８】
まず、広視野ボタン２１４が押された場合を説明する。広視野ボタン２１４が押されると、ＣＰＵ２３２は広視野を設定する広視野用データ２６４を出力する。この広視野用データ２６４は、ＬＣＤインタフェース部２４３を介してＬＣＤコントローラ２４２に入力される。ＬＣＤコントローラ２４２は広視野用データ２６４を受け取ると、広視野用の高電位２７１を設定して液晶ディスプレイ２１１を駆動する。この高電位２７１が設定されたとき、図示しない一対の配向膜に印加される電圧によって、液晶分子は電場の方向に整列して垂直に配向される。この状態では、液晶ディスプレイ２１１の全領域を表示の対象とした広視野表示モード２７２が表示用のモードとして実行される。
【００２９】
次に狭視野ボタン２１５が押された場合を説明する。狭視野ボタン２１５が押されると、ＣＰＵ２３２は狭視野を設定する狭視野用データ２６５を出力する。この狭視野用データ２６５は、ＬＣＤインタフェース部２４３を介してＬＣＤコントローラ２４２に入力される。ＬＣＤコントローラ２４２は狭視野用データ２６５を受け取ると、狭視野用の電位２７３を設定して液晶ディスプレイ２１１を駆動する。この狭視野用の電位２７３が設定されると、前記した配向膜に挟まれた液晶層は不完全な整列状態となる。この状態では、液晶分子の傾きが高電位２７１を設定された垂直方向から変化する。この状態では、液晶分子の傾きと液晶ディスプレイ２１１を見る方向との関係により、液晶ディスプレイ２１１の視野角が制限される。この結果として視野角制御モード２７４が表示用のモードとして実行されることになる。
【００３０】
最後に、ミラー表示ボタン２１６が押された場合を説明する。ミラー表示ボタン２１６が押されると、ＣＰＵ２３２は液晶ディスプレイ２１１の表面をミラー状に設定するミラー用データ２６６を出力する。このミラー用データ２６６は、ＬＣＤインタフェース部２４３を介してＬＣＤコントローラ２４２に入力される。ＬＣＤコントローラ２４２はミラー用データ２６６を受け取ると、零電位も含んだ低電位２７５を設定して液晶ディスプレイ２１１を駆動する。これにより、液晶ディスプレイ２１１は反射モード２７６が実行される。本実施例では、印加電圧が遮断され、液晶ディスプレイ２１１もその駆動を停止される。また、反射モード２７６の実行時にバックライトモジュール２２２（図２）も消灯される。
【００３１】
図７は、本実施例における液晶ディスプレイの配置構造を具体的に表わしたものである。液晶ディスプレイ２１１は、透過軸２８１および反射軸２８２を備えた輝度上昇フィルム２８３と、透過軸２８４と吸収軸２８５を備えた偏光版２８６と、これらの間に挟まれ、液晶分子２８７からなる液晶２８８から構成されている。
【００３２】
輝度上昇フィルム２８３は、バックライトモジュール２２２（図２）の光の使用効率を高めるためのもので、本実施例では反射型の偏光版を使用している。輝度上昇フィルム２８３によって、図２に示したバックライトモジュール２２２から入射する光が集光されて液晶２８８を通過する。これにより、絵や文字、動画が見えやすくなる。この輝度上昇フィルム２８３は従来から用いられているものと同様である。偏光板２８６は、ある特定の方向にのみ振動する光を通して見え方を調整するために設けられている。
【００３３】
図７と図２および図６を用いて、各モードにおける動作を説明する。広視野ボタン２１４が押されると、液晶２８８を構成する液晶分子２８７はオン状態となる。広視野表示モード２７２では、偏光板２８６の透過軸２８４と、輝度上昇フィルム２８３の透過軸２８１の双方と、液晶分子２８７の状態が一致する。このため、バックライトモジュール２２２によって液晶ディスプレイ２１１の下から入ってくる光と、外から入ってくる上からの光とが、液晶２８８の表示可能な全範囲を通過する。これにより、液晶ディスプレイ２１１はその表示可能な全範囲が広視野表示モード２７２となる。この広視野表示モード２７２では、液晶ディスプレイ２１１を見たとき、視野角が特に限定される制御が行われることはなく、全画面表示となる。これにより、液晶ディスプレイ２１１の表示面の全面に絵や文字、動画を映し出すことが可能になる。
【００３４】
次に、ミラー表示ボタン２１６が押された場合を説明する。この場合には、ＣＰＵ２３２によって設定されたミラー用データ２６６がＬＣＤコントローラ２４２に入力されて低電位２７５の設定が行われる。これにより、液晶ディスプレイ２１１を構成する液晶２８８の液晶分子２８７がオフの状態になる。この反射モード２７６では、偏光板２８６の吸収軸２８５と輝度上昇フィルム２８３の反射軸２８２の双方と液晶分子２８７の状態が一致する。この結果、バックライトモジュール２２２によって液晶ディスプレイ２１１の下から入ってくる光は液晶２８８を通過し偏光板２８６の吸収軸により吸収される。したがって、バックライトモジュール２２２が仮に点灯していても、この光が液晶ディスプレイ２１１の上を透過していくことはない。
【００３５】
また、液晶ディスプレイ２１１に外から入ってくる上からの光は、輝度上昇フィルム２８３の反射軸２８２により跳ね返されることで反射モード２７６となる。このため、液晶ディスプレイ２１１の表示可能な全範囲がミラー（鏡）状態になる。この結果、反射モード２７６では液晶ディスプレイ２１１を鏡の代用として使用可能となる。
【００３６】
最後に、狭視野ボタン２１５が押された場合を説明する。この場合には、ＣＰＵ２３２によって設定された狭視野用データ２６５がＬＣＤコントローラ２４２に入力されて狭視野用の電位２７３に設定される。狭視野用の電位２７３は広視野用の高電位２７１よりも低く、低電位２７５容量も高い電位である。この狭視野用の電位２７３の大きさに比例して、液晶ディスプレイ２１１を構成する液晶２８８の液晶分子２８７がオン状態になる。
【００３７】
バックライトモジュール２２２によって液晶ディスプレイ２１１の下から入ってくる光と外から入ってくる上からの光とが、偏光板２８６の透過軸２８４と、輝度上昇フィルム２８３の透過軸２８１の双方と一致し通過することのできる範囲は、この液晶分子２８７のオン状態の度合いに応じて決定される。したがって、狭視野用の電位２７３を調整すると、絵や文字を映し出す透過モードとなる角度範囲をこの電位に比例して変化させることができる。
【００３８】
また、バックライトモジュール２２２によって液晶ディスプレイ２１１の下から入ってくる光と外から入ってくる上からの光とが、偏光板２８６の透過軸２８４と輝度上昇フィルム２８３の透過軸２８１の両方を通過できない角度範囲では、液晶２８８の液晶分子２８７の状態が偏光板２８６の吸収軸２８５と輝度上昇フィルム２８３の反射軸２８２の両方と一致し、反射モード２７６となりミラー（鏡）状態となる。
【００３９】
このように狭視野ボタン２１５が押された場合には、液晶ディスプレイ２１１の表示可能な領域に、広視野表示モード２７２となる角度範囲と反射モード２７６となる角度範囲の部分ができる。これにより、視野角の広さが狭視野用の電位２７３の大きさに依存して制御される視野角制御モード２７４となる。実際には、携帯電話機２００（図１、図３）の一般的なユーザの要請する視野角に対応する電位を、狭視野用の電位２７３として設定することで、１種類の制限された視野角が設定される。
【００４０】
図８は、各モードにおける液晶ディスプレイの表示の態様を一例として表わしたものである。同図（ａ）は、広視野ボタンが押されて全画面が透過モードとしての広視野表示モードになった状態を表わしている。液晶ディスプレイ２１１は白色で表わした全範囲に絵や文字、動画を映し出すことができる。これらの画像情報は、液晶ディスプレイ２１１の正面からだけでなく、左右方向および上下方向における比較的広い角度範囲（たとえば１４０度〜１６０度の範囲）で視認することができる。
【００４１】
同図（ｂ）は、ミラー表示ボタンが押されて全画面が反射モードになった状態を表わしている。液晶ディスプレイ２１１はその全面が暗くなっており、周囲の画像が反射して見えている状態となる。
【００４２】
同図（ｃ）は、狭視野ボタンが押されて視野が狭くなった第１の例を表わしたものである。液晶ディスプレイ２１１における白い楕円の領域３０１が透過領域となっている。これ以外の領域３０２は反射領域３０２となっており、この領域の絵や文字、動画はいずれの方向からも見ることができない。領域３０１に表示される絵や文字、動画は、液晶ディスプレイ２１１の正面および下方向からは見ることができる。正面に向かったときから左右方向に傾いた方向、または上方向に傾いた方向に目の位置をずらして液晶ディスプレイ２１１を見ると、比較的狭い角度範囲を越えると、これらが見えなくなる。したがって、たとえば電車の隣の席に座った者は、液晶ディスプレイ２１１に絵や文字、動画といった画像データ画像情報を視認することができない。
【００４３】
同図（ｄ）は、狭視野ボタンが押されて視野が狭くなった第２の例を表わしたものである。液晶ディスプレイ２１１における白い楕円の領域３０３が透過領域となっている。これ以外の領域３０４は反射領域３０２となっており、この領域の絵や文字、動画はいずれの方向からも見ることができない。領域３０３に表示される絵や文字、動画は、液晶ディスプレイ２１１の正面および下方向からは見ることができる。正面に向かったときから左右方向に傾いた方向、または上方向に傾いた方向に目の位置をずらして液晶ディスプレイ２１１を見ると、比較的狭い角度範囲を越えると、これらが見えなくなる点は、同図（ｃ）と同様である。
【００４４】
同図（ｃ）および（ｄ）から分かるように、電圧の掛け方によって白い楕円の領域３０１、３０３の大きさや液晶ディスプレイ２１１における位置が異なることになる。実際は、図６に示した狭視野ボタン２１５を押すことで、予め設定された狭視野用の電位２７３（図６）に基づいて、液晶ディスプレイ２１１に絵や文字、動画の見える範囲が設定されることになる。
【００４５】
以上説明したように本実施例の携帯電話機２００は、狭視野表示モードに設定することで、正面以外の方向から液晶ディスプレイ２１１を見たときの文字や画像の表示自体を制限することができる。したがって、たとえば暗証番号が液晶ディスプレイ２１１に表示されるような場合には、正面からその表示を読み取ることができても、横からはこれを読み取ることができない。
【００４６】
しかも、本実施例の携帯電話機２００は、反射モードに設定することで、ミラー表示にすることができ、化粧直しをしたり、髪型や服装を整えたり、ちょっとした身だし並みを整えることができる。
【００４７】
＜発明の変形可能性＞
【００４８】
以上説明した実施例では、視野角制御モード２７４が設定されたとき、予めプリセットされた狭視野用の電位２７３で液晶ディスプレイ２１１の視野角を制限することにしたが、ユーザがこの視野角をその都度、可変制御できるようにしてもよい。この場合には、一度、液晶ディスプレイ２１１の表示をオフにすることで、前に設定した狭視野用の電位２７３がリセットされることになる。
【００４９】
なお、実施例では狭視野用の電位２７３を１種類設定するものとして説明したが、図３に示したメモリ２３３に所望の複数種類記憶しておくようにしてもよい。このようにして記憶した狭視野用の電位２７３は、ユーザが適宜呼び出して視野角の制御のために使用するようにしてもよいが、たとえば電車等の公共交通機関を決まった時間帯で使用するような場合、ユーザがこの時間帯を携帯電話機２００に設定しておいて、図示しない時計機構と視野角の調整を連動させるようにしてもよい。これにより、ユーザがたとえば通勤電車の車内で携帯電話機２００を使用する時間帯に液晶ディスプレイ２１１の視野角が自動的に狭くなることで、表示内容の保護を図ることができる。
【００５０】
図９は、この変形例における携帯電話機の制御の概要を表わしたものである。このような制御は、図３に示した制御部２３１のＣＰＵ２３２がメモリ２３３に格納された制御プログラムを実行することによって実現する。この制御の前提として、携帯電話機２００のユーザは図３に示す操作部２１２からスケジュールを入力しておくか、視野角を制御する曜日や時間帯を入力しておく。これらの情報はメモリ２３３に格納される。
【００５１】
携帯電話機２００のＣＰＵ２３２はユーザが公共の交通機関としての車両に滞在する時間帯で平日等の該当する曜日における開始タイミングに該当するかどうかを図示しない時計機構と照合することで判別する（ステップＳ４０１）。開始タイミングに該当すれば（Ｙ）、視野角制御モードを開始させる（ステップＳ４０２）。この時点から携帯電話機２００は液晶ディスプレイ２１１が表示を行うときに、図６に示す狭視野用の電位２７３に設定される。したがって、ユーザの隣の席に座った者は図８に示した楕円の領域３０１あるいは３０３の文字や画像も見ることができない。
【００５２】
ユーザが電車を降りる等によって車両に滞在する時間帯の終了のタイミングが到来すると（ステップＳ４０３：Ｙ）、ＣＰＵ２３２は終了タイミングを検出して視野角制御モードを終了させ、液晶ディスプレイ２１１を広視野モードに復帰させる（ステップＳ４０４）。これにより、ユーザは資料として撮影した画像等の画像情報を広視野の状態で他人に見せることができる。
【００５３】
なお、以上説明した実施例および変形例では携帯電話機２００を例に挙げて説明したが、液晶ディスプレイを備えた各種の情報処理装置に本発明を適用できることは当然である。また、携帯電話機２００は２つの筐体をヒンジ機構で折り畳む折り畳み型携帯電話機である必要はなく、たとえば１つの筐体で構成される一体型携帯電話機であってもよい。
【図面の簡単な説明】
【００５４】
【図１】本発明の一実施例における携帯電話機の外観を表わした斜視図である。
【図２】本実施例の液晶ディスプレイを構成する部品の配置を示す概略構成図である。
【図３】本実施例の携帯電話機の回路構成の概要を表わしたブロック図である。
【図４】本実施例の携帯電話機の表示に関する回路部分を示すブロック図である。
【図５】本実施例で表示用ＬＣＤモジュールを中心に視野角制御用ＬＣＤモジュールの回路構成の要部を示したブロック図である。
【図６】本実施例で液晶ディスプレイによる視野角の制御の様子を表わした原理図である。
【図７】本実施例における液晶ディスプレイの配置構造を具体的に表わした説明図である。
【図８】本実施例で各モードにおける液晶ディスプレイの表示の態様を一例として表わした平面図である。
【図９】本発明の変形例における携帯電話機の視野角の表示制御の様子を表わした流れ図である。
【符号の説明】
【００５５】
２００  携帯電話機
２１１  液晶ディスプレイ
２１２  操作部
２１４  広視野ボタン
２１５  狭視野ボタン
２１６  ミラー表示ボタン
２３１  主制御部
２３２  ＣＰＵ
２３３  メモリ
２４２  ＬＣＤコントローラ
２４５  電源
２７１  （広視野用の）高電位
２７２  広視野表示モード
２７３  （狭視野用の）電位
２７４  視野角制御モード
２７５  （零電位も含んだ）低電位
２７６  反射モード
２８３  輝度上昇フィルム
２８６  偏光板
２８８  液晶
【図１】
2008298901.tif 000003
【図２】
2008298901.tif 000004
【図３】
2008298901.tif 000005
【図４】
2008298901.tif 000006
【図５】
2008298901.tif 000007
【図６】
2008298901.tif 000008
【図７】
2008298901.tif 000009
【図８】
2008298901.tif 000010
【図９】
2008298901.tif 000011